(57)【要約】【課題】  設置工事を簡略化し、ＩＤ追加や多種類機種への対応が容易な入退室管理システムを得る。【解決手段】  建物に取り付けられ、あるゲートに対して割り当てられたゲートＩＤを保持する非接触型ＩＤタグ２０と、非接触型ＩＤタグ２０のゲートＩＤを読み取る機能を有し、所有者に対して割り当てられた通行者ＩＤを保持する携帯可能な読み取り装置１０と、ゲートＩＤ毎に、対応するゲートの通行を許可されている通行者ＩＤを記憶する通過許可者リスト記憶部４０と、読み取り装置１０からゲートＩＤと通行者ＩＤの通知を受け、通過許可者リスト記憶部４０を参照して、受信した通行者ＩＤが受信したゲートＩＤの通行許可者リストに登録されている場合には、ゲート装置５０を介してゲートを開放するゲート制御装置３０を備える。【選択図】        図１
2005163418.tif 000002
【特許請求の範囲】
【請求項１】
出入り口に対して割り当てられたゲートＩＤを保有する非接触型ＩＤタグと、
上記非接触型ＩＤタグが保持するゲートＩＤを読み取る機能を有し、所有者に対して割り当てられた通行者ＩＤを保有する携帯可能な読み取り装置と、
上記読み取り装置からの問い合わせに対して、上記出入り口の通過を許可するか否かを判断するゲート制御装置と、
上記ゲートＩＤ毎に、対応する出入り口の通行を許可されている通行者ＩＤを記憶する通過許可者リスト記憶部と、
上記出入り口の開閉操作を行うゲート装置を備え、
上記読み取り装置は、読み取ったゲートＩＤを自己の保有する通行者ＩＤと共に上記ゲート制御装置に送信し、
上記ゲート制御装置は、上記通過許可者リスト記憶部を参照し、上記読み取り装置から受信した通行者ＩＤが受信したゲートＩＤの通過許可者リストに登録されている場合には、上記ゲート装置を介して上記出入り口を開放することを特徴とする入退室管理システム。
【請求項２】
ゲートＩＤが割り当てられた出入り口を管轄する登録用ゲートＩＤを保持する登録用非接触型ＩＤタグと、
上記登録用非接触型ＩＤタグが管轄するゲートＩＤのリストを記憶する登録用ゲートＩＤリスト記憶部と、
上記登録用ゲートＩＤリスト記憶部から上記登録用非接触型ＩＤタグが管轄するゲートＩＤのリストを取得すると共に、通過許可者リスト記憶部が記憶する通過許可者リストを更新するか否かを判定する通行可否設定生成手段とを備え、
読み取り装置が、上記登録用非接触型ＩＤタグから上記登録用ゲートＩＤを読み取り、自己の保有する通行者ＩＤと共にゲート制御装置に送信すると、
上記通行可否設定生成手段は、上記登録用ゲートＩＤが管轄するゲートＩＤのリストを取得し、取得したゲートＩＤのリストに対応する通過許可者リストに、上記通行者ＩＤを登録することを特徴とする請求項１記載の入退室管理システム。
【請求項３】
読み取り装置は、入力された個人認証情報に基づいて、上記読み取り装置の携帯者が、正当な所有者かどうかを判断する個人認証手段を備え、正当な保有者であると判断された場合にのみ、ゲート制御装置に出入り口の開放を依頼することを特徴とする請求項１または請求項２記載の入退室管理システム。
【請求項４】
所有者に対して割り当てられた通行者ＩＤを保有する携帯可能な読み取り装置から、ある出入り口に対して割り当てられたゲートＩＤと上記通行者ＩＤを受信する受信部と、
各々のゲートＩＤに対応する出入り口の通行を許可されている通行者ＩＤを記憶する通過許可者リスト記憶部を参照し、受信した通行者ＩＤが受信したゲートＩＤの通過許可者リストに登録されている場合には、上記出入り口の開閉操作を行うゲート装置に対して、上記出入り口を開放する命令を通知する通行可否判定部を備え、
上記ゲートＩＤは、非接触型ＩＤタグから上記読み取り装置が読み取ったものであることを特徴とするゲート制御装置。
【請求項５】
読み取り装置から、ある出入り口に対して割り当てられた登録用ゲートＩＤと通行者ＩＤを受信した場合には、
登録用ゲートＩＤに対応するゲートＩＤのリストを記憶する登録用ゲートＩＤリスト記憶部を参照し、上記読み取り装置から受信した登録用ゲートＩＤに対応するゲートＩＤを取得すると共に、通過許可者リスト記憶部中の対応するゲートＩＤの通過許可者リストに、受信した通行者ＩＤを登録する通行可否設定生成部を備えたことを特徴とする請求項４記載のゲート制御装置。
【発明の詳細な説明】
【技術分野】
【０００１】
この発明は、建物への入退室を管理する、入退室管理システムおよびゲート制御装置に関するものである。
【背景技術】
【０００２】
従来の入退室管理システムには、非接触ＩＣカードやＲＦＩＤタグ等（以下、非接触型ＩＤタグと記す。）と、これらのＩＤタグからＩＤを読み取ると共に、非接触型ＩＤタグへの電力供給を行うＩＤ読み取り装置（以下、読み取り装置と記す。）を用いたシステムによって構成されるものがある。
このようなシステムでは、入退室者が非接触型ＩＤタグを携帯し、建物の出入り口に読み取り装置が設置されている。建物への入退室時には、出入り口の読み取り装置が入退室者の非接触型ＩＤタグのＩＤを読み取り、読み取ったＩＤと予め設定されているゲートの通行可能ＩＤリストを比較して、入退室者のゲート通過を制御するシステムが一般的である。
【０００３】
従来の入退室管理システムの例として、特許文献１に開示された入退室管理装置の動作について説明する。建物入口に設置されたゲート制御装置に入室者のＩＣカードが挿入されると、入退室管理装置はＩＣカードのメモリから入退室条件情報を読取って入室の可否を判定し、入室許可であれば入口の扉の電気錠を解放する。このとき同時に、通行履歴情報をＩＣカードのメモリに記録する。一方、出口側に設置されたゲート制御装置にＩＣカードが挿入されると、入退室管理装置はＩＣカードのメモリから通行履歴情報を読取って退室の可否を判定し、退室許可であれば出口の扉の電気錠を解放するとともに、このときの通行履歴情報をＩＣカードのメモリに記録する。
【０００４】
【特許文献１】特開平５−１９５６６１号公報
【発明の開示】
【発明が解決しようとする課題】
【０００５】
従来の入退室管理システムは、上述したようにＩＤの読み取り装置が建物側に取り付けられている。読み取り装置を建物に取り付ける場合、電力線、伝送線の配線工事を含む大掛かりな取り付け工事が必要であるという問題がある。
さらに、入退室者が携帯する非接触型ＩＤタグが複数種ある場合、各々の非接触型ＩＤタグに対応した複数の読み取り装置を設置しなければならない。
【０００６】
また、新たな非接触型ＩＤタグを発行するために、専用の非接触型ＩＤタグ発行管理機器が必要である。
さらに、非接触型ＩＤタグ自体が、保持者の本人確認をすることができないため、不正な使用者による使用を防ぐことができないという課題もあった。
【０００７】
この発明は上記のような課題を解決するためになされたもので、設置工事を簡略化し、ＩＤ追加や多種類機種への対応が容易な入退室管理システムを得ることを目的とする。
【０００８】
また、そのような入退室管理システムで用いるのに適したゲート制御装置を得ることを目的とする。
【課題を解決するための手段】
【０００９】
この発明に係る入退室管理システムは、出入り口に対して割り当てられたゲートＩＤを保有する非接触型ＩＤタグと、非接触型ＩＤタグが保持するゲートＩＤを読み取る機能を有し、所有者に対して割り当てられた通行者ＩＤを保有する携帯可能な読み取り装置と、読み取り装置からの問い合わせに対して、出入り口の通過を許可するか否かを判断するゲート制御装置と、ゲートＩＤ毎に、対応する出入り口の通行を許可されている通行者ＩＤを記憶する通過許可者リスト記憶部と、出入り口の開閉操作を行うゲート装置を備え、読み取り装置は、読み取ったゲートＩＤを自己の保有する通行者ＩＤと共にゲート制御装置に送信し、ゲート制御装置は、通過許可者リスト記憶部を参照し、読み取り装置から受信した通行者ＩＤが受信したゲートＩＤの通過許可者リストに登録されている場合には、ゲート装置を介して出入り口を開放するものである。
【００１０】
この発明に係るゲート制御装置は、所有者に対して割り当てられた通行者ＩＤを保有する携帯可能な読み取り装置から、ある出入り口に対して割り当てられたゲートＩＤと通行者ＩＤを受信する受信部と、各々のゲートＩＤに対応する出入り口の通行を許可されている通行者ＩＤを記憶する通過許可者リスト記憶部を参照し、受信した通行者ＩＤが受信したゲートＩＤの通過許可者リストに登録されている場合には、出入り口の開閉操作を行うゲート装置に対して、出入り口を開放する命令を通知する通行可否判定部を備え、ゲートＩＤは、非接触型ＩＤタグから読み取り装置が読み取ったものである。
【発明の効果】
【００１１】
この発明によれば、通行者が読み取り装置を携帯し、建物側に非接触型ＩＤタグを設置するので、読み取り装置の壁への埋め込みや配線工事など、建物への大がかりな工事が不要になる。また、複数の規格の読み取り装置に対応する必要がある場合でも、読み取り装置の規格に応じた非接触型ＩＤタグを建物へ新たに貼り付けるだけで対応可能であり、読み取り装置の規格変更やリプレースに容易に対応できるという効果がある。
【発明を実施するための最良の形態】
【００１２】
以下、この発明の実施の様々な形態を説明する。
実施の形態１．
図１は、この発明の実施の形態１による、入退室管理システム１００の構成を示すブロック図である。入退室管理システム１００は、１つあるいは複数の建物の内外の複数の出入り口の入退室管理を行う。図に示すように、入退室管理システム１００は、読み取り装置１０、非接触型ＩＤタグ２０、ゲート制御装置３０、通過許可者リスト記憶部４０、ゲート装置５０を備えている。
【００１３】
読み取り装置１０は、建物内外を通過する通行者が携帯し、非接触型ＩＤタグ２０のＩＤを読み取ると共に、非接触型ＩＤタグ２０に電源を供給することが可能な装置である。読み取り装置１０は、ＩＤ読み取り装置単独の機能を有した装置であってもよいし、携帯電話やＰＤＡのような携帯情報機器等の汎用機器に組み込まれていてもよい。
【００１４】
非接触型ＩＤタグ２０は、例えば、通行許可者を限定している建物内外のドア（ゲート）付近に設置されている。非接触型ＩＤタグ２０は、非接触ＩＣカードや紙状のＲＦＩＤタグのように、電池等の自己電源を持たず、外部からの電源供給により駆動し、容易に壁に貼り付けられるような小型あるいは薄型のものである。なお、非接触型ＩＤタグ２０は、非接触ＩＣカード用のチップとアンテナや、薄型のＲＦＩＤタグ用メモリとアンテナなどを用いて、建物内外のドアや壁などに貼り付ける。
【００１５】
ゲート制御装置３０は、読み取り装置１０と無線ＬＡＮ等の無線通信回線、或いは有線通信回線を介して接続されており、読み取り装置１０からの問い合わせに対して、ゲートの通過を許可するか否かを判断する。
図２はゲート制御装置３０の構成を示すブロック図である。図に示すように、ゲート制御装置３０は、受信部３１と通行可否判定部３２を備えている。受信部３１および通行可否判定部３２は、ゲート制御装置３０の中央演算処理装置が行う動作のモジュールを表しており、実際には中央演算処理装置を構成する部分である。
【００１６】
通過許可者リスト記憶部４０は、ゲート制御装置３０のメモリの一部、あるいは、ゲート制御装置３０と通信回線を介して接続された外部の記憶装置である。通過許可者リスト記憶部４０には、各ゲート毎の通行許可者リストが記憶される。
ゲート装置５０は、通行許可者を限定している建物内外のゲートの開閉を制御する装置であり、ゲート制御装置３０と有線あるいは無線の通信回線を介して接続されている。
【００１７】
次に動作について説明する。
図３は、実施の形態１による入退室管理システム１００の動作のフローチャートである。
非接触型ＩＤタグ２０が設置されたゲートを通過しようとする通行者は、携帯する読み取り装置１０を壁やドアに貼り付けられた非接触型ＩＤタグ２０に近づける。読み取り装置１０は、非接触型ＩＤタグ２０のＩＤを読み取る（ステップＳＴ１）。ここで、非接触型ＩＤタグ２０のＩＤは、各々のゲートを特定するゲートＩＤである。
【００１８】
読み取り装置１０は、ステップＳＴ１で読み取ったゲートＩＤを無線ＬＡＮ等を介してゲート制御装置３０に送信する（ステップＳＴ２）。この時、読み取り装置１０が保有するＩＤ番号も同時に通知する。ここで、読み取り装置１０のＩＤは、読み取り装置１０を携帯する通行者の通行者ＩＤである。
【００１９】
ゲート制御装置３０の受信部３１は、ゲートＩＤと通行者ＩＤを受信する。受信したゲートＩＤと通行者ＩＤは通行可否判定部３２に供給される。通行可否判定部３２は、ゲートＩＤから特定されるゲートに対応するゲート装置５０を特定する。また、通行者ＩＤから読み取り装置１０の所有者を特定し、当該所有者が当該ゲートを通過して良いかどうかを判断する（ステップＳＴ３）。
【００２０】
ゲート制御装置３０の通行可否判定部３２による、通行可否の判定方法について説明する。通行可否判定部３２は、通過許可者リスト記憶部４０を参照する。通過許可者リスト記憶部４０には、ゲート毎の通行許可者の通行者ＩＤが通過許可者リストとして登録されている。
通行可否判定部３２は、受信した通行者ＩＤが受信したゲートＩＤの通過許可者として登録されているか否かを確認する。
【００２１】
ステップＳＴ３で通過を許可してよいと判断された場合には、通行可否判定部３２は、ゲート装置５０を制御し、当該ゲートを開放する（ステップＳＴ４）。
一方、ステップＳＴ３で通過を許可できないと判断された場合には、ゲートを開放しない。
【００２２】
以上のように、この実施の形態１によれば、読み取り装置１０を通行者が携帯し、建物へは非接触型ＩＤタグ２０を取り付けるだけでよいため、読み取り装置１０を設置する場合に比べて設置工事を大幅に簡素化できるという効果がある。
【００２３】
また、建物側に取り付けるのは非接触型ＩＤタグ２０であるため、読み取り装置を建物側へ設置する場合のように、複数種の非接触型ＩＤタグに対応するために複数の読み取り装置を設置するということを避けることができる。また、複数の規格の読み取り装置に対応する必要がある場合でも、読み取り装置の規格に応じた非接触型ＩＤタグを建物に貼り付けるだけで対応可能であり、装置の規格変更等への対応が容易である。
【００２４】
実施の形態２．
実施の形態２では、通行者が保持する読み取り装置１０を、入退室管理システム２００に新規に登録する。
【００２５】
図４は、この発明の実施の形態２による、入退室管理システム２００の構成を示すブロック図である。図１と同一の符号は同一の構成要素を表している。
図に示すように、入退室管理システム２００は、登録用非接触型ＩＤタグ６０、登録用ゲートＩＤリスト記憶部９０を備えている。
【００２６】
また、図５は、実施の形態２によるゲート制御装置７０の構成を示すブロック図である。図に示すように、ゲート制御装置７０は、ゲート制御装置３０と同様の機能を備えているが、さらに、通行可否設定生成部８０を備えている。
【００２７】
登録用非接触型ＩＤタグ６０は、読み取り装置１０の通行者ＩＤを新たに通行許可者リストに登録するために用いる専用のＩＤタグである。通行者ＩＤの登録が目的であるため、その設置場所はゲート制御装置７０と通信可能な範囲であればよい。例えば、ゲート制御装置７０の周辺に設置すれば、わざわざゲートにまで赴かなくても、登録を行うことができる。
登録用非接触型ＩＤタグ６０のＩＤである登録用ゲートＩＤは、各ゲートに個々に設けてもよいが、同種類のゲートをグループとして扱い、同じグループに属するゲートには同一の登録用ゲートＩＤを割り当ててもよい。これにより、登録用非接触型ＩＤタグ６０を用いて読み取り装置１０を１回登録するだけで、登録用ゲートＩＤが管轄する１つまたは複数のゲートに対して、通行者ＩＤの登録を一度で済ますことができる。
【００２８】
登録用ゲートＩＤリスト記憶部９０は、ゲート制御装置７０のメモリの一部、あるいは、ゲート制御装置７０と通信回線を介して接続された外部の記憶装置である。登録用ゲートＩＤリスト記憶部９０は、通過許可者リスト記憶部４０と同一の記憶装置であってもよい。
【００２９】
次に、動作について説明する。
利用者は、あるゲートについての通行許可の登録をしようとする際、携帯している読み取り装置１０を当該ゲートに対する登録用非接触型ＩＤタグ６０に近づける。読み取り装置１０は、登録用非接触型ＩＤタグ６０のＩＤを読み取る。ここで、登録用非接触型ＩＤタグ６０のＩＤは、各々のゲートの登録用ゲートＩＤである。読み取り装置１０は、読み取った登録用ゲートＩＤと自身の通行者ＩＤをゲート制御装置７０へ送信する。
【００３０】
ゲート制御装置７０は、受信部３１において登録用ゲートＩＤと通行者ＩＤを受信し、通行可否設定生成部８０によって、通過許可者リスト記憶部４０へ当該通行者ＩＤの通過許可情報を登録する。
【００３１】
通行可否設定生成部８０による、通過許可者リスト記憶部４０への登録処理について説明する。通行可否設定生成部８０は、登録用ゲートＩＤリスト記憶部９０を参照する。登録用ゲートＩＤリスト記憶部９０には、登録用ゲートＩＤに対応するゲートＩＤのリストが登録されている。
通行可否設定生成部８０は、受信した登録用ゲートＩＤリストに対応するゲートＩＤを取得し、通過許可者リスト記憶部４０中の取得したゲートＩＤの通過許可者リストに当該通行者ＩＤを追加する。
【００３２】
また、実施の形態２における、通行可否判定処理は、実施の形態１と同様に行う。
【００３３】
以上のように、この実施の形態２によれば、通過許可者リスト記憶部４０に新たに通行者ＩＤを登録する際には、登録用非接触型ＩＤタグ６０のＩＤを読み取るだけでよいので、専用の新規ＩＤタグ発行機器や、専用の読み取り装置登録器等を必要とせず、通過許可者の新規登録作業を簡素化することができる。
【００３４】
実施の形態３．
図６は、この発明の実施の形態３による、入退室管理システム３００の構成を示すブロック図である。図１と同一の符号は同一の構成要素を表している。
【００３５】
実施の形態３では、読み取り装置１１は、読み取り装置１０と同様の機能を備えているが、さらに個人認証手段１２を有している。個人認証手段１２は、暗証番号や指紋認証などの個人認証手段により、読み取り装置１１の携帯者の本人確認を行う。
【００３６】
実施の形態３による通行許可判定処理について説明する。通行者が非接触型ＩＤタグ２０が設置されたゲートを通過しようとする際、携帯する読み取り装置１１を非接触型ＩＤタグ２０に近づけると、実施の形態１と同様に、読み取り装置１１によって非接触型ＩＤタグ２０のＩＤが読み取られる。
【００３７】
さらに通行者は、読み取り装置１１に暗証番号を入力したり、或いは自己の指紋を読み取らせたりする。このようにして入力された個人認証情報は個人認証手段１２によって処理され、当該読み取り装置１１の正当な持ち主かどうかが判断される。
【００３８】
個人認証手段１２によって、通行者が読み取り装置１１の正当な持ち主であると判断された場合には、実施の形態１と同様にゲートＩＤと通行者ＩＤがゲート制御装置３０に送信され、通過許可者リスト記憶部４０の内容に基づいて当該ゲートの開閉が制御される。
また、個人認証手段１２によって、通行者が読み取り装置１１の正当な持ち主であると判断されなかった場合には、ゲート制御装置３０にゲートＩＤと通行者ＩＤを送信しない。
【００３９】
以上のように、この実施の形態３によれば、読み取り装置１１が個人認証手段１２によって、利用者が正当な持ち主であるかどうかを判断するようにしたので、不正な通行者が拾得等によって入手した読み取り装置１１を用いてゲートを通過しようとしても、読み取り装置１１の個人認証手段１２によって正規の携帯者であることが確認されなければゲートを通行できないため、システムの安全性が向上する。
【００４０】
なお、実施の形態２における新規通行者ＩＤの登録処理時に、実施の形態３の個人認証を適用してもよい。
【図面の簡単な説明】
【００４１】
【図１】この発明の実施の形態１による、入退室管理システムの構成を示すブロック図である。
【図２】この発明の実施の形態１による、ゲート制御装置の構成を示すブロック図である。
【図３】この発明の実施の形態１による、入退室管理システムの動作のフローチャートである。
【図４】この発明の実施の形態２による、入退室管理システムの構成を示すブロック図である。
【図５】この発明の実施の形態２による、ゲート制御装置の構成を示すブロック図である。
【図６】この発明の実施の形態３による、入退室管理システムの構成を示すブロック図である。
【符号の説明】
【００４２】
１０，１１  読み取り装置、１２  個人認証手段、２０  非接触型ＩＤタグ、３０，７０  ゲート制御装置、３１  受信部、３２  通行可否判定部、４０  通過許可者リスト記憶部、５０  ゲート装置、６０  登録用非接触型ＩＤタグ、８０  通行可否設定生成部、９０  登録用ゲートＩＤリスト記憶部、１００，２００，３００  入退室管理システム。
【図１】
2005163418.tif 000003
【図２】
2005163418.tif 000004
【図３】
2005163418.tif 000005
【図４】
2005163418.tif 000006
【図５】
2005163418.tif 000007
【図６】
2005163418.tif 000008